(57)【要約】  往復動ピストン機関のガス交換弁を可変に作動するための装置  本発明の課題は、弁行程カムの形状と精度に関しかつ弁伝動装置及びそれに所属する調節機構の構造的な形態に関しかつ摩擦による機械的な損失に関し機関に課される要求を公知技術よりも良好に満たすことである。  前記課題は、ケーシング（Ｇ）、軸（Ｗ）、中間部材（Ｚ）及び出力部材（Ａ）から成る回転する伝動装置により解決された。カム（Ｎ）はケーシング（Ｇ）内で、ターニングジョイント（ｎｇ）にて回転可能に案内され、ケーシング（Ｇ）内でターニングジョイント（ｚｇ）にて一義的に案内されている中間部材（Ｚ）をカムジョイント（ｚｎ）を介して作動する。さらに前記中間部材（Ｚ）は前記出力部材（Ａ）にカムジョイント（ｚａ）を介して作用的に結合されている。このカムジョイント（ｚａ）は前記中間部材（Ｚ）にて、ノッチを形成する区分（Ｋｚａｒ）と制御区分（Ｋｚａｓ）とから成っている。ノッチを形成する区分（Ｋｚａｒ）は円中心点が前記中間部材（Ｚ）と前記ケーシング（Ｇ）との間のターニングジョイント（ｚｇ）の回転中心と合致した円弧によって形成されている。前記出力部材（Ａ）は前記ケーシング（Ｇ）内でターニングジョイント（ａｇ）にて一義的に案内されかつ運動を少なくとも１つの弁（Ｖ）に伝達する。弁行程経過を変化させるためには、カムジョイント（ｚａ）の位置がターニングジョイント（ｚｇ）の位置の相対的な移動（Ｖｚｇ，Ｖａｇ）によってターニングジョイント（ｚｇ）に対し変化させられるようになっている。この場合、前記カムジョイント（ｚａ）の前記位置の変化は弁ノッチの領域にて前記中間部材（Ｚ）の輪郭の、前記ノッチを形成する区分（Ｋｚａｒ）に沿った移動（Ｖｚａ）により与えられる（図を参照せよ）。【特許請求の範囲】
【請求項１】
往復動ピストン型機関におけるガス交換弁を可変に作動するための装置であって、ケーシング（Ｇ）と、該ケーシング（Ｇ）内にてターニングジョイント（ｎｇ）に支承され、クランク軸から回転運動が取出されるカム（Ｎ）と、前記ケーシング（Ｇ）内にてターニングジョイント（ａｇ）で一義的に案内されかつ運動をガス交換弁（Ｖ）に伝達する出力部材（Ａ）と、前記ケーシング（Ｇ）内にてターニングジョイント（ｚｇ）で一義的に案内され、前記カム（Ｎ）と前記出力部材（Ａ）とにそれぞれカムジョイント（ｚｎ，ｚａ）を介して結合されている中間部材（Ｚ）とを有し、前記中間部材（Ｚ）と前記出力部材（Ａ）との間の前記カムジョイント（ｚａ）が、前記中間部材（Ｚ）にて、ストップノッチを形成する区分（Ｋｚａｒ）と制御区分（Ｋｚａｓ）とを有し、ストップノッチを形成する前記区分（Ｋｚａｒ）が、前記中間部材（Ｚ）と前記ケーシング（Ｇ）との間の前記ターニングジョイント（ｚｇ）の回転中心と合致する円中心点を有する円弧によって形成されている形式のものにおいて、前記カムジョイント（ｚａ）の位置が前記ターニングジョイント（ａｇ）に対する前記ターニングジョイント（ｚｇ）の位置の相対的な移動（Ｖｚｇ，Ｖａｇ）によって可変であり、前記カムジョイント（ｚａ）の位置の変化が、弁ノッチの領域にて、前記中間部材（Ｚ）の輪郭の、前記ノッチを形成する前記区分（Ｋｚａｒ）に沿った移動によって描かれることを特徴とする、ガス交換弁を可変に作動する装置。
【請求項２】
前記中間部剤（Ｚ）と前記出力部材（Ａ）との間の前記カムジョイント（ｚａ）が前記出力部材（Ａ）に取付けられた回転可能な回転体（ＲＡ）と前記中間部材（Ｚ）におけるカム（Ｋｚａｒ１，Ｋｚａｓ１）とによって形成されている、請求項１記載の装置。
【請求項３】
弁行程カムを変化させるために、前記中間部材（Ｚ）とケーシング（Ｇ）との間のターニングジョイント（ｚｇ）の位置が、前記出力部材（Ａ）に取付けられた回転可能な前記回転体（ＲＡ）の回転中心に弁ストップの間円中心が合致する円弧（ＫｂＶＺ）に沿って変化可能である、請求項１又は２記載の装置。
【請求項４】
弁行程曲線を変化させるために前記出力部材（Ａ）とケーシング（Ｇ）との間のターニングジョイントの位置が、前記中間部材（Ｚ）と前記ケーシング（Ｇ）との間のターニングジョイント（ｚｇ）の回転中心と円中心点が合致する円弧（ＫｂＶＡ１）に沿って変化可能である、請求項１及び２記載の装置。
【請求項５】
前記中間部材（Ｚ）がだいたいにおいて傾動レバーとして構成されている、請求項１−４までに記載の装置。
【請求項６】
前記中間部材（Ｚ）がけん引レバーとして構成されている、請求項１−４までに記載の装置。
【請求項７】
往復動ピストン型機関におけるガス交換弁を可変に作動するための装置であって、ケーシング（Ｇ）と、該ケーシング（Ｇ）内にてターニングジョイント（ｎｇ）に支承され、クランク軸から回転運動が取出されるカム（Ｎ）と、前記ケーシング（Ｇ）内にてターニングジョイント（ａｇ）で一義的に案内されかつ運動をガス交換弁（Ｖ）に伝達する出力部材（Ａ）と、前記ケーシング（Ｇ）内にてターニングジョイント（ｚｇ）で一義的に案内され、前記カム（Ｎ）と前記出力部材（Ａ）とにそれぞれカムジョイント（ｚｎ，ｚａ）を介して結合されている中間部材（Ｚ）とを有し、前記中間部材（Ｚ）と前記出力部材（Ａ）との間の前記カムジョイント（ｚａ）がストップノッチを形成する区分と制御区分とを有している形式のものにおいて、前記カムジョイント（ｚａ）のストップノッチを形成する前記区分が、前記出力部材（Ａ）におけるカム（Ｋａｚｒ１）により形成され、該カム（Ｋａｚｒ１）が前記ターニングジョイント（ｚｇ）の回転中心と円中心点が合致する円弧であり、前記カムジョイント（ｚａ）の位置が前記ターニングジョイント（ａｇ）の位置の移動（Ｖａｇ２）によって可変であり、前記カムジョイント（ｚａ）の前記位置変化が弁ストップノッチの領域にて前記出力部材（Ａ）の輪郭の前記ストップノッチを形成する前記区分（Ｋａｚｒ１）に沿った移動によって与えられることを特徴とする、往復動ピストン型機関におけるガス交換弁を可変に作動するための装置。
【請求項８】
前記中間部材（Ｚ）と前記出力部材（Ａ）との間の前記カムジョイント（ｚａ）が、前記中間部材（Ｚ）にて、回転可能な回転体（ＲＺ）によって形成されている、請求項７記載の装置。
【請求項９】
前記出力部材（Ａ）と前記弁（Ｖ）との間の前記カムジョイント（ａｖ）が、出力部材側にて、だいたいにおいて前記中間部材（Ｚ）と前記ケーシング（Ｇ）との間の前記ターニングジョイント（ｚｇ）の回転中心が位置しかつ弁運動に対しほぼ平行に延びる直線（ｇｖ）上に円中心点が位置する円弧（ＫｂＶ）によって形成されている、請求項６−８までに記載の装置。
【請求項１０】
１つのシリンダの給気弁（ＶＥ）がカム（ＮＥ）、中間部材（ＺＥ）及び出力部材（ＡＥ）を介しかつ当該シリンダの排気弁（ＶＡ）がカム（ＮＡ）、中間部材（ＺＡ）及び出力部材（ＡＡ）を介し作動されかつ前記両カム（ＮＥ，ＮＡ）が１つのカム軸（ＷＥＡ１）の上に固定されている、請求項１−９までに記載の装置。
【請求項１１】
１つのシリンダの給気及び排気弁（ＶＥ，ＶＡ）を作動するための前記中間部材（ＺＥ，ＺＡ）が厳密に１つのカム軸（ＷＥＡ２）の１つのカム（ＮＥＡ）により作動される、請求項１０記載の装置。
【請求項１２】
前記中間部材（Ｚ）と前記出力部材（Ａ）との間の前記カムジョイント（ｚａ）が、前記カム軸（Ｗ）が垂直に位置しかつ前記中間部材（Ｚ）と前記カム（Ｎ）との間の前記カムジョイント（ｚｎ）が位置する平面と同じ平面に位置している請求項１−１１までに記載の装置。
【請求項１３】
前記中間部材（Ｚ１）と前記出力部材（Ａ１）との間の前記カムジョイント（ｚａ）が、前記カム軸（Ｗ１）が垂直に位置しかつ前記中間部材（Ｚ１）と前記カム（Ｎ１）との間の前記カムジョイント（Ｚｎ）が位置している前記平面には位置していない、請求項１−１１までに記載の装置。
【請求項１４】
１つのカム（Ｎ２）が厳密に１つの中間部材（Ｚ２）を作動し、該中間部材（Ｚ２）が単数又は複数の出力部材（Ａｉ）を介し１つのシリンダの２又は複数の弁（Ｖｉ）を作動する、請求項１−１３までに記載の装置。
【請求項１５】
前記中間部材（Ｚ）がばねで前記カム軸（Ｗ）のカム（Ｎ）に押付けられている、請求項１−１４までに記載の装置。
【請求項１６】
前記カム軸（Ｗ３）のカム（Ｎ３）から前記中間部材（Ｚ３）に運動を伝達するために少なくとも１つの別の伝動部材（ＧＧ）が中間接続されている、請求項１−１５までに記載の装置。
【発明の詳細な説明】
【技術分野】
【０００１】
往復動ピストン型機関における行程経過が機関の運転挙動と運転値とに決定的な影響をもっていることは公知である。特に給気質量制御された機関におけるガス交換損失を回避するためには、機関運転中に連続的に可変である弁行程経過が望ましい。この場合には給気及び排気弁の行程経過の変化も、給気弁だけにおける変化も有利である。このような可変な弁制御の技術的な転換に対しては特に四節の弁伝動装置（例えばＤＥ２６２９５５４Ａ１、ＤＥ３８３３５４０Ｃ２、ＤＥ４３２２４４９Ａ１、ＤＥ４２２３１７２Ｃ１、ＢＭＷ−ｖａｌｖｅｔｒｏｎｉｃ）が公知である。これらの弁伝動装置は機関運転中の弁行程経過の連続的な変化を可能にする。
【０００２】
請求項１に記載した発明は、可変な弁制御に関して機関に対し課された要求が公知技術に較べて良好に充たされ得るようにすることを課題としている。これらの要求は、個々の弁行程経過及び発生する弁行程経過の群の形態、弁を駆動する場合の摩擦による機械的な損失の大きさ、弁伝動装置及びそれに所属する調節機構の単純性である。
【０００３】
個々の弁行程経過と発生する弁行程経過の群は開放角、閉鎖角、弁行程、弁加速経過及びクランク角に対する移相位置とに関しできるだけ自由に構成可能でなければならない。特に弁行程が小さい場合には、個々のシリンダの弁の行程経過の高い一様性に対する要求はきわめて高い。弁伝動装置と調節装置との構成的な形態はできるだけ単純なものにしたい。この場合には特に、弁行程経過を調節する場合に伝動部材の間に遊びが発生しないように配慮される必要がある。さらに製作技術的な理由のため及び構成部分の熱的な膨脹のために、出力部材が遊び補償エレメントを用いてシリンダヘッドに支承される可能性が与えられなければならない。摩擦による機械的な損失はできるだけ小さいものでなければならない。この要求はできるだけ付加的な構成費用なしで、特に付加的な構成高さなしで充たされなければならない。
【０００４】
前記課題は往復動ピストン型モータにおけるガス交換弁を可変に作動するための伝動装置の、請求項１に記載した特徴によって解決された。
【０００５】
当該伝動装置はケーシング（Ｇ）、カム（Ｎ）、中間部材（Ｚ）と出力部材（Ａ）から構成されている。カム（Ｎ）はケーシング（Ｇ）内で、例えばシリンダヘッド内でターニングジョイント（ｎｇ）にて回転可能に案内され、カムジョイント（ｚｎ）を介して中間部材（Ｚ）を作動する。中間部材（Ｚ）はケーシング（Ｇ）内のターニングジョイント（ｚｇ）にて一義的に案内されている。さらに中間部材（Ｚ）は出力部材（Ａ）とカムジョイント（ｚａ）を介して作用結合されている。このカムジョイント（ｚａ）は中間部材（Ｚ）に負荷を形成する区分（Ｋｚａｒ）と制御区分（Ｋｚａｓ）とを有している。このカムジョイント（ｚａ）は中間部材（Ｚ）にて、ノッチを形成する区分（Ｋｚａｒ）と制御区分（Ｋｚａｓ）とを有している。ノッチを形成する区分（Ｋｚａｒ）は円中心点が、中間部材（Ｚ）とケーシング（Ｇ）との間のターニングジョイント（ｚｇ）の回転中心と合致する円弧によって形成されている。出力部材（Ａ）はケーシング（Ｇ）内でターニングジョイント（ａｇ）で一義的に案内されておりかつ運動を少なくとも１つの弁（Ｖ）に伝達する。弁行程経過を変化させるためには、本発明によれば、カムジョイント（ｚａ）の位置をターニングジョイント（ｚｇ）の位置の移動によって又はターニングジョイント（ａｇ）の位置の移動によって変化させることが提案されている。カムジョイント（ｚａ）の位置の変化は、弁ノッチの領域にて、中間部材（Ｚ）の輪郭のノッチを形成する区分（Ｋｚａｒ）に沿ったカムジョイント（ｚａ）の移動（Ｖｚａ）によって表現される。したがってターニングジョイント（ｚｇ）又はターニングジョイント（ａｇ）の移動（Ｖｚｇ，Ｖａｇ）の方向は、弁停止中のカムジョイント（ｚａ）における接触接線（ｖｔ）の方向である。この場合にはカムジョイント（ｚａ）におけるノッチ接触点の変化する接線方向（ｖｔ）が考慮される必要がある（図１を参照）。
【０００６】
本発明で達成された利点はすべての可動な伝動部材−カム（Ｎ）、中間部材（Ｚ）、出力部材（Ａ）が１つのケーシング（Ｇ）内で１つのターニングジョイント（ｎｇ，ｚｇ，ａｇ）にて一義的に案内され、弁行程経過の調節が中間部材（Ｚ）とケーシング（Ｇ）との間のターニングジョイント（ｚｇ）の位置の変化によって又は出力部材（Ａ）とケーシング（Ｇ）との間のターニングジョイント（ａｇ）の位置の変化によって行われることにより生じる。したがっていずれの場合にも、ケーシング（Ｇ）におけるターニングジョイント（ｚｇ，ａｇ）の位置は、往復運動を実施する伝動部材（Ｚ，Ａ）によって変化させられる。これは構成的に特に簡単に実現することができる。ケーシング（Ｇ）内でカム（Ｎ）のターニングジョイント（ｎｇ）の位置を変化させる方が著しく費用がかかる。何故ならばカム（Ｎ）のターニングジョイント（ｎｇ）は駆動する伝動部材として直接的又は間接的にクランク軸と結合され、このような位置の変化によって別の構成部分が関与させられかつ影響を受けるからである。本発明による中間部材（Ｚ）のターニングジョイント（ｚｇ）の位置又は出力部材（Ａ）のターニングジョイント（ａｇ）の位置の変化によって別の構成部分が関与させられることはない。
【０００７】
出力部材（Ａ）が公知の３部材型のカムレバー伝動装置（けん引レバー及び傾動レバー伝動装置）のように構成されることにより、同様に公知でありかつ実験で最良であると確認された補償部材を伝動部材の間で製作誤差及び／又は伝動部材の種々異なる熱的な変形に基づく遊びを補償するために用いることができる。本発明による伝動装置の構成により、カム（Ｎ）から弁（Ｖ）への直接的な力の導入が可能になった。往復運動によって慣性力と慣性モーメントを惹き起こす伝動部材（Ｚ，Ａ）は、本発明によれば小さく、軽くかつ形状安定性をもって構成されることができる。これらの伝動部材（Ｚ，Ａ）をケーシング（Ｇ）内でターニングジョイント（ｚｇ，ａｇ）に支承することは少ない遊びで、もしくは遊びなくかつ剛性的に実施することができる。これによって弁行程が小さい場合及び機関回転数が高い運転の場合にもすべてのシリンダの個々の弁の行程経過の高い一様性が保証される。伝動装置の本発明の構成はすべての滑り接触にて回転する転がり軸受又は滑り軸受の使用を可能にする。これにより弁を駆動するための摩擦出力は減少させられる。
【０００８】
請求項２には中間部材（Ｚ）と出力部材（Ａ）との間のカムジョイント（ｚａ）の有利な構成形態が記載されている。この構成形態ではカムを決定する輪郭（Ｋｚａｒ１，Ｋｚａｓ１）はもっぱら中間部材（Ｚ）に形成されている。出力部材（Ａ）においてはカムジョイント（ｚａ）は回転可能な回転体（ＲＡ）によって形成されている（図２と３を参照）。これにより前記カムジョイント（ｚａ）においては接触対偶の転動が達成され、接線方向運動は回転可能な回転体（ＲＡ）の支承装置にシフトされる。滑り軸受で公知である材料と潤滑状態によりかつ小さな摩擦半径を使用することによりこのカムジョイント（ｚａ）における摩擦が減じられる。この本発明の構成はこの接触点において転がり軸受を使用する可能性をもたらす。このような形式で接線方向運動は完全に転動運動で実施される。この場合にはカムジョイント（ｚａ）においては滑りは最早発生せず、摩擦はさらに減少させられる。
【０００９】
この実施例において有利な、弁行程カムを変化させるための伝動装置の構成は請求項３と４とに記載されている。
【００１０】
請求項３においては中間部材（Ｚ）とケーシング（Ｇ）との間のターニングジョイント（ｚｇ）の支承装置であって、弁行程カムを変化させるために、ターニングジョイント（ｚｇ）がケーシング（Ｇ）における偏心体において可変に位置決めされている支承装置が示されている。偏心体中心点は中間部材（Ｚ）とケーシング（Ｇ）との間のターニングジョイント（ｚｇ）の中心点と合致している。偏心体の回動は円弧（ＫｂＶＺ）に沿ったターニングジョイント（ａｇ）の位置の移動（Ｖｚｇ１）をもたらす（図２と３を参照）。
【００１１】
請求項４には出力部材（Ａ）とケーシング（Ｇ）との間のターニングジョイント（ａｇ）の支承装置が記載されている。この支承装置においては弁行程カムを変化させるためにターニングジョイント（ａｇ）の位置がケーシング（Ｇ）内の偏心体にて可変に位置決めさせられることができる。偏心体の中心点は中間部材（Ｚ）とケーシング（Ｇ）との間のターニングジョイント（ｚｇ）の中心点と合致する。偏心体の回動はターニングジョイント（ａｇ）の位置の円弧（ＫｂＶＡ１）に沿った移動（Ｖａｇ１）をもたらす（図２と３を参照）。
【００１２】
請求項３と４とに記載したように伝動装置を構成した場合には、伝動部材の間に遊びを発生させることなく弁行程カムの変化が達成される。これは特に高い機関回転数と騒音の少ない運転とにとって特に必要である。
【００１３】
請求項５には傾動レバーとしての中間部材（Ｚ）の有利な構成が記載されている。この構成では中間部材（Ｚ）と出力部材（Ａ）との間のカムジョイント（ｚａ）における力の方向は中間部材（Ｚ）とカム（Ｎ）との間のカムジョイント（ｚｎ）における力の方向とはほぼ反対に示されている（図２参照）。この実施例は伝動装置の構成高さ、ひいてはシリンダヘッドの構成高さを小さく構成できるという利点をもたらす。
【００１４】
請求項６には中間部材（Ｚ）の有利な構成が示されている。この構成では中間部材（Ｚ）と出力部材（Ａ）との間のカムジョイント（ｚａ）における力の方向は中間部材（Ｚ）とカム（Ｎ）との間のカムジョイント（ｚｎ）における力の方向とほぼ同じである（図３を参照）。この実施例ではカム（Ｎ）から弁（Ｖ）への力の伝導を直接行なうことができるという利点をもたらす。これにより伝動装置において作用する力は小さくされ、伝動装置のより高い剛性が達成されかつ同時に摩擦が減少させられる。
【００１５】
請求項７には往復動ピストン機関におけるガス交換弁を可変に作動する伝動装置の別の有利な構成が示されている。この伝動装置もケーシング（Ｇ）、カム（Ｎ）、中間部材（Ｚ）及び出力部材（Ａ）から成っている。カム（Ｎ）はケーシング（Ｇ）、例えばシリンダヘッド内にてターニングジョイント（ｎｇ）に回転可能に案内され、カムジョイント（ｚｎ）を介して中間部材（Ｚ）を作動する。この中間部材（Ｚ）はターニングジョイント（ｚｇ）にてケーシング（Ｇ）内で一義的に案内されている。さらに中間部材（Ｚ）は出力部材（Ａ）にカムジョイント（ｚａ）を介して作用的に結合されている。このカムジョイント（ｚａ）は出力部材（Ａ）にて、ノッチを形成する区分（Ｋａｚｒ１）と制御区分（Ｋａｚｓ１）とを有している。ノッチを形成する区分（Ｋａｚｒ１）は円中心点が、中間部材（Ｚ）とケーシング（Ｇ）との間のターニングジョイント（ｚｇ）の回転中心と合致する円弧によって形成されている。出力部材（Ａ）はケーシング（Ｇ）内でターニングジョイント（ａｇ）にて一義的に案内され、運動を少なくとも１つの弁（Ｖ）に伝達する。弁行程経過を変化させるためには本発明によればカムジョイント（ｚａ）の位置をターニングジョイント（ａｇ）の位置の移動（Ｖａｇ２）によって変化させることが提案されている。カムジョイント（ｚａ）の位置の変化は、弁ノッチの領域にて、出力部材（Ａ）の輪郭の、ノッチを形成する区分（Ｋａｚｒ１）に沿ったカムジョイント（ｚａ）の移動（Ｖａｚ）で実現される。したがってターニングジョイント（ａｇ）の移動（Ｖａｇ２）の方向は弁停止中のカムジョイント（ｚａ）における接触接線の方向である。したがってターニングジョイント（ａｇ）の移動（Ｖａｇ２）はターニングジョイント（ｚｇ）を中心とした円弧に沿って行なわれる（図４参照）。このような形式で弁行程カムの変化は伝動部材の間の遊びなく達成される。これは高いモータ回転数を達成するため及び騒音の少ない運転のために必要である。
【００１６】
請求項８には中間部材（Ｚ）と出力部材（Ａ）との間のカムジョイントの有利な構成であって、カムを決定する輪郭（Ｋａｚｒ１，Ｋａｚｓ１）がもっぱら出力部材（Ａ）に設けられている構成が示されている。中間部材（Ｚ）においてはカムジョイント（ｚａ）は回転可能な回転体（ＲＺ）により形成されている（図４参照）。これにより、このカムジョイントにおいては接触対偶の転動が達成され、接線方向運動が回転可能なローラ（ＲＺ）の支承装置にシフトされる。滑り軸受において公知である材料と潤滑状態によりかつ小さな摩擦半径を使用することによりこのカムジョイントにおける摩擦が減じられる。この本発明による構成も同様に、この接触点にて転がり軸受の使用を可能にする。このような形式で接線方向運動は完全に転動運動で実施させる。この場合にはこのカムジョイント（ｚａ）における滑りはもはや発生せず、摩擦はさらに減じられる。
【００１７】
出力部材（Ａ）とケーシング（Ｇ）との間のターニングジョイント（ａｇ）の位置が、請求項６と８にて提案されているように変化させられる場合には、出力部材（Ａ）と弁（Ｖ）との間のカムジョイント（ａｖ）においては出力部材（Ａ）から弁（Ｖ）へ運動が伝達される。これは弁の開放をもたらす惧れがあるか又は許容されない弁遊びをもたらす惧れがあるので、このような運動の伝達は弁遊びの大きさでかつ弁遊びの範囲における速度経過で考慮し、弁始動速度及び弁閉鎖速度が許容範囲に保たれるようにするか又はこの運動伝達は弁遊び補償部材により補償されなければならない。両方の場合のいずれにおいてもこの運動の伝達ができるだけ小さいことが有利である。請求項９では出力部材（Ａ）の有利な構成、出力部材（Ａ）の弁（Ｖ）に対する位置及び中心点（ｚｇ）は、出力部材（Ａ）と弁（Ｖ）とのカムジョイント（ａｖ）が出力部材側にてほぼ円弧（ＫｂＶ）として構成され、この円弧（ＫｂＶ）の円中心点が、中間部材（Ｚ）とケーシング（Ｇ）との間のターニングジョイント（ｚｇ）の回転中心が同時に位置する直線（ｇＶ）の上に位置している。この直線（ｇＶ）は弁運動方向に対しほぼ平行に延びている（図４参照）。
【００１８】
請求項１０には伝動部材の有利な配置が示されている。この場合には１つのシリンダの給気弁（ＶＥ１）と排気弁（ＶＡ１）は唯一のカム軸（ＷＥＡ１）によって駆動される。シリンダの給気弁（ＶＥ１）はカム（ＮＥ１）、中間部材（ＺＥ１）及び出力部材（ＡＥ１）を介して作動され、当該シリンダの排気弁（ＶＡ１）はカム（ＮＡ１）、中間部材（ＺＡ１）及び出力部材（ＡＡ１）を介して作動される。両方のカム（ＮＥ１，ＮＡ１）は１つのカム軸（ＷＥＡ１）に固定されている（図５）。請求項１１には上記伝動装置の別の有利な構成が記載されている。中間部材（ＺＥ２，ＺＡ２）がカムに対するカムジョイント（ｚｎｅ，ｚｎａ）で目的に合わせて配置されることにより、１つのシリンダのすべての弁（ＶＥ２，ＶＡ２）の駆動を１つのカム軸（ＷＥＡ２）の上に固定された１つのカム（ＮＥＡ）で行なうことが達成された。この場合には排気弁（ＶＡ２）の行程カムと給気弁（ＶＥ２）の行程カムの間の位相角は、弁停止状態での、カム（ＮＥＡ）と両方の中間部材（ＺＥ２，ＺＡ２）との間のカムジョイント（ｚｎｅ，ｚｎａ）における垂線の間の角度と等しい（図６を参照）。伝動装置を請求項１０と１１とに記載されているように構成することにより、機関あたりの伝動部材の数が減少され、この結果総費用が低減される。別の利点は必要な構成空間に関して達成される。
【００１９】
請求項１２には伝動装置の有利な１実施例が記載されている。この実施例では中間部材（Ｚ）と出力部材（Ａ）との間のカムジョイント（ｚａ）は、カム軸（Ｗ）が垂直に位置しかつ中間部材（Ｚ）とカム（Ｎ）との間のカムジョイント（ｚｎ）が位置する平面と同じ平面に位置している（図１−３）。このような伝動装置の構成は既存の構成空間の好適な活用を可能にする。伝動装置がこのように構成されている場合には伝動装置のできるだけ大きい剛性は直接的な力の導入によって達成される。
【００２０】
請求項１３には伝動装置の別の有利な１実施例が示されている。この実施例では、中間部材（Ｚ１）と出力部材（Ａ１）との間のカムジョイント（ｚａ）は、カム軸（Ｗ１）が垂直に位置しかつ中間部材（Ｚ１）とカム（Ｎ１）との間のカムジョイント（ｚｎ）が位置する平面と同じ平面には位置していない（図７参照）。このような伝動装置の構成は存在する構成空間の好適な活用を可能にする。
【００２１】
請求項１４には伝動装置の別の有利な実施例が示されている。この実施例においては、１つのカム（Ｎ２）により厳密に１つの中間部材（Ｚ２）を介し、単数又は複数の出力部材（Ａｉ）を介して１つのシリンダの２つ又は複数の弁（Ｖｉ）が作動される（図８参照）。このような形式で機関あたりの伝動部材の数を減らし、総費用を低減させることができる。さらに調節装置のための構成費用も減じられかつ必要な構成空間も縮小される。
【００２２】
伝動装置の本発明による前記構成では弁が停止している間、すなわち弁が閉じられかつ運動を行なわないとき、中間部材（Ｚ）の位置が運動学的に一義的に規定されない。中間部材（Ｚ）に作用しかつ例えばケーシング（Ｇ）に支持されるばねを使用することにより、カムジョイント（ｚｎ）にてカム（Ｎ）に対する中間部材（Ｚ）の接触を保証するモーメント（ＭＦ）を発生させることができる（図１−３参照）。請求項１５は伝動装置の有利な１実施例であって、中間部材（Ｚ）がばねでカム軸（Ｗ）のカム（Ｎ）に押付けられている形式の実施例が示されている。中間部材（Ｚ）にばねが前述のごとく配置されていると、該ばねが中間部材（Ｚ）の運動する回転質量をほぼコントロールするように該ばねを設計することができる。この場合には弁ばねは弁（Ｖ）と出力部材（Ａ）との運動質量だけをコントロールすればよい。何故ならば両方のばねはその作用に関し反対に向けられているからである。このような形式で伝動装置におけるジョイントにおける力は小さくてもよくなり、ジョイントにおける負荷も可能な限り小さくなる。さらにこのような形式で、摩擦が効果的に低減させられる。
【００２３】
請求項１６には本発明の伝動装置の有利な実施例が示されている。この実施例ではカム軸（Ｗ３）のカム（Ｎ３）から中間部材（Ｚ３）に運動を伝達するために少なくとも１つの別の伝動部材（ＧＧ）が中間接続されている（図９を参照）。この実施例では伝動装置は低位置にあるカム軸の場合にも、高位置にあるカム軸の場合にも使用することができる。カム軸のこのような配置は所要構成スペースの小さい特に簡単な機関構造を利点としてもたらす。
【図面の簡単な説明】
【００２４】
【図１】本発明による伝動装置の１実施例を示した図。
【図２】本発明による伝動装置の別の１実施例を示した図。
【図３】本発明による伝動装置の別の１実施例を示した図。
【図４】本発明による伝動装置の別の１実施例を示した図。
【図５】本発明による伝動装置の別の１実施例を示した図。
【図６】本発明による伝動装置の別の１実施例を示した図。
【図７】本発明による伝動装置の別の１実施例を示した図。
【図８】本発明による伝動装置の別の１実施例を示した図。
【図９】本発明による伝動装置の別の１実施例を示した図。
【図１０】本発明による伝動装置の別の１実施例を示した図。
【図１】
2005514553.tif 000002
【図２】
2005514553.tif 000003
【図３】
2005514553.tif 000004
【図４】
2005514553.tif 000005
【図５】
2005514553.tif 000006
【図６】
2005514553.tif 000007
【図７】
2005514553.tif 000008
【図８】
2005514553.tif 000009
【図９】
2005514553.tif 000010
【図１０】
2005514553.tif 000011
【国際調査報告】
2005514553.tif 000012
2005514553.tif 000013
2005514553.tif 000014
2005514553.tif 000015
2005514553.tif 000016
2005514553.tif 000017